(57)【要約】【課題】導光体における光る範囲の広さと明るさを確保して、全体的に明るさが揺らぐような印象を与えられるようにする。【解決手段】導光体２５２は筒状をなし、空洞部内に、それぞれ光軸方向を傾けた黄色のＬＥＤ２６１が設けられている。導光体２５２の外周部には、横断面形状において三角形状に突出し、導光体２５２の長さ方向に沿った三角断面突条が形成されている。さらに、導光体２５２の外周表面は、例えば平均の直径が５〜１０μｍ、深さが１０μｍ程度の不規則な微細凹凸が形成されている。複数のＬＥＤ２６１のうちの一部は周期的に明滅する一方、他の一部は圧電センサによる振動などの検出に基づいてランダムに明滅し、これらの光が導光体２５２の内部で反射されながら合成、拡散されることによって、全体として、導光体２５２の長手方向や周方向で明るさが不規則な感じに変化する。【選択図】図６
2010182540.tif 000002
【特許請求の範囲】
【請求項１】
円筒状の導光体と、
上記導光体の内部に配置された複数の発光体と、
圧電センサと、
上記発光体を制御する制御回路とを有する照明装置であって、
上記導光体の外周面全周には、長手方向に沿って、三角形状の横断面形状を有する複数の突条が形成されるとともに、表面に微細な凹凸が形成され、
上記制御回路は、上記発光体のうちの
第１の発光体を、上記圧電センサによる検出に応じた第１の駆動信号で駆動する一方、
第２の発光体を、周期的に変化する第２の駆動信号で駆動するように構成されていることを特徴とする照明装置。
【請求項２】
請求項１の照明装置であって、
上記発光体は、発光する光の強度が指向性を有するものであって、導光体の長手方向に対して光軸方向を傾けて設けられていることを特徴とする照明装置。
【請求項３】
請求項２の照明装置であって、
導光体の端部付近に設けられる発光体の光軸方向の傾きが、中央部付近に設けられる発光体の傾きよりも大きいことを特徴とする照明装置。
【請求項４】
請求項１の照明装置であって、
導光体の端部付近における発光体の配置ピッチが、中央部付近よりも短いことを特徴とする照明装置。
【請求項５】
請求項１の照明装置であって、
さらに、枠に薄紙が貼り付けられて構成され、上記導光体を覆う筐体を備えたことを特徴とする照明装置。
【請求項６】
請求項１の照明装置であって、
上記圧電センサは、振動または筐体のひずみを検知するように構成されていることを特徴とする照明装置。
【請求項７】
請求項１の照明装置であって、
上記第１、および第２の発光体が、導光体の長手方向に分散して配置されていることを特徴とする照明装置。
【請求項８】
請求項１の照明装置であって、
上記制御回路は、上記圧電センサの検出に基づく信号と、ランダム信号とを合成して、上記第１の駆動信号を生成することを特徴とする照明装置。
【請求項９】
請求項８の照明装置であって、
上記制御回路は、周期およびパルス幅の少なくとも一方が異なる複数種類の信号を合成して、上記ランダム信号を生成することを特徴とする照明装置。
【請求項１０】
請求項１の照明装置であって、
上記制御回路は、上記第１、および第２の駆動信号に係わらず、上記第１、および第２の発光体の少なくとも一方を常時所定の最低限の明るさで発光させることを特徴とする照明装置。
【請求項１１】
請求項１の照明装置であって、
上記制御回路は、周囲の明るさが所定以下になったときに、上記発光体を発光させることを特徴とする照明装置。
【発明の詳細な説明】
【技術分野】
【０００１】
本発明は、例えば蝋燭を模した明かりを演出するためなどに用いられる照明装置に関するものである。
【背景技術】
【０００２】
近年、一定の明るさを有する照明の単調さを和らげるために、明るさにゆらぎを持たせる照明装置が知られている。また、さらに、例えば風の有無などを検出して明るさを変化させることにより、蝋燭の明かり等を模して、より演出効果を高める技術が知られている（例えば、特許文献１、２参照。）。
【０００３】
上記のような明るさの制御をする場合、光源としては、例えば比較的駆動が容易な発光ダイオード（ＬＥＤ）を用いることができる。ところが、ＬＥＤのように点光源に近い発光体を用いると、鋭い光となりがちである。
【０００４】
一方、小さな光源の光を用いて、面状や線状など、ある程度広がりを持った範囲を光らせるために、導光体を用いる技術が知られている。具体的には、例えば、棒状の導光体やアクリル樹脂製のファイバなどにおける周面の一部に微細な凹凸等を形成するとともに、上記導光体等の端面から光源の光を入射させるようにしたものがある。これによれば、導光体等の内部で導かれる光は、周面における微細な凹凸等が形成された部分で反射され、上記凹凸に対向する部分（凹凸が形成されていない部分）などから照明光が出射される（例えば、特許文献３、４参照。）。
【特許文献１】特開平８−１６７４８１号公報
【特許文献２】特開２００７−１９４１７６号公報
【特許文献３】特開２００１−２９１４０３号公報
【特許文献４】特開２００４−２２６６２４号公報
【発明の開示】
【発明が解決しようとする課題】
【０００５】
しかしながら、上記のように周面の一部に微細な凹凸等が形成された導光体を用いても、導光体の全周、かつ、全長に亘って光を出射させることは容易ではない。このため、光る範囲の広さと明るさを確保して、全体的に明るさが揺らぐような印象を与えるようにすることが困難である。
【０００６】
本発明は、かかる点に鑑みてなされたものであり、例えば、導光体における光る範囲の広さと明るさを確保して、全体的に明るさが揺らぐような印象を与えられるようにすることを目的としている。
【課題を解決するための手段】
【０００７】
上記の課題を解決するため、本発明の例の照明装置は、
円筒状の導光体と、
上記導光体の内部に配置された複数の発光体と、
圧電センサと、
上記発光体を制御する制御回路とを有する照明装置であって、
上記導光体の外周面全周には、長手方向に沿って、三角形状の横断面形状を有する複数の突条が形成されるとともに、表面に微細な凹凸が形成され、
上記制御回路は、上記発光体のうちの
第１の発光体を、上記圧電センサによる検出に応じた第１の駆動信号で駆動する一方、
第２の発光体を、周期的に変化する第２の駆動信号で駆動するように構成されていることを特徴とする。
【０００８】
ここで、上記発光体は、発光する光の強度が指向性を有するものを用い、導光体の長手方向に対して光軸方向を傾けて設けてもよい。
【０００９】
さらに、上記第１、および第２の発光体は、導光体の長手方向に分散して配置してもよい。
【００１０】
これにより、例えば、発光体から発せられた光は、導光体の界面で全反射しながら、全反射の条件を満たさない入射角となった部分で、外部に出射する。すなわち、発光体の光が導光体の内部で反射されながら長手方向に導光されるとともに、三角断面突条および微細凹凸によって導光体の周囲に散乱される。そこで、導光体の内部で反射によって導光される性質と、エッジや傷などに光が集中しやすい性質とを組み合わせることによって、導光体の全長に亘って、光を分散、拡散させながら、可視範囲を大幅に広くすることが容易にできる。また、適度な明るさのむらを生じさせることなどもできる。さらに、照明装置の大型化なども容易になる。
【００１１】
しかも、複数の発光体のうちの一部が周期的に明滅する一方、他の一部がランダムに明滅し、これらの光が導光体の内部で反射されながら合成、拡散されることによって、全体として、導光体の長手方向や周方向で明るさが不規則な感じに変化し、自然なゆらぎ調光で幻想的に発光する印象を与えることなどができる。
【００１２】
本発明の例の照明装置は、また、導光体の端部付近に設けられる発光体の光軸方向の傾きや、配置ピッチが、中央部付近と異なるように、具体的には、例えば中央部付近の傾きよりも大きくしたり、ピッチを短くしたりしてもよい。
【００１３】
これにより、例えば、端部付近の明るさを確保するようにしたり、逆に導光体の中央部付近をより明るくするなどグラデーションを持たせるようにしたりすることもできる。
【発明の効果】
【００１４】
本発明によれば、例えば、導光体における光る範囲の広さと明るさを確保して、全体的に明るさが揺らぐような印象を与えられるようにすることができる。
【発明を実施するための最良の形態】
【００１５】
以下、本発明の実施形態を図面に基づいて詳細に説明する。
【００１６】
本発明の実施形態に係る照明装置は、例えば図１に示すように、筐体１０１の内部に発光装置２０１が設けられて構成されている。筐体１０１は、例えば、ほぼ直方体の稜に相当する部分を形成する枠１０１ａに、和紙１０１ｂが張られて成っている。
【００１７】
発光装置２０１は、詳しくは図２に示すように、基部２１１に発光部２５１が立設されて構成されている。基部２１１は、ケーシング２１２の周囲のフランジ部２１２ａが、底板２１３と抑え板２１４とに挟まれて成り、形成される空間内に、後に詳述する制御回路の回路基板２２１と、蓄電池２２２とが納められている。また、例えば筐体１０１の上部に取付けられる太陽電池パネル２３１、およびその裏面等に設けられる圧電センサ２３２は、コード２３３を介して、上記回路基板２２１に接続されるようになっている。上記圧電センサ２３２によって検出される振動や筐体のひずみに応じて、後述するように発光部２５１の明るさが変化し、蝋燭の明かりが揺らぐように見えるようになっている。
【００１８】
発光部２５１は、例えば、図３に示すように透光率がガラスに次いで高い無色透明なアクリル樹脂製の導光体２５２と無色透明のカバーパイプ２５３とが上下端で保持部材２５４に保持されて構成されている。下端の保持部材２５４は、ケーシング２１２のボス部２１２ｂに嵌め込まれている。上端の保持部材２５４は、キャップ２５５で覆われ、内部が防水状態に保たれるようになっている。
【００１９】
上記導光体２５２は筒状をなし、空洞部２５２ａ内に、それぞれ光軸方向（最も発光強度が高い方向）を傾けた例えば黄色のＬＥＤ２６１が設けられている。また、導光体２５２の外周部には、図４に示すように、横断面形状において先端が尖った三角形状に突出し、導光体２５２の長さ方向に沿った三角断面突条２５２ｂが形成されている。さらに、導光体２５２の外周表面は、図５に示すように、例えば平均の直径が５〜１０μｍ、深さが１０μｍ程度の不規則な微細凹凸２５２ｃが形成されている。このような微細凹凸２５２ｃは、例えばサンドブラストなどによって形成することができる。
【００２０】
導光体２５２が上記のような形状および表面性状を有することによって、図６、図７に模式的に示すように、ＬＥＤ２６１から発せられた光は、導光体２５２の界面で全反射しながら、全反射の条件を満たさない入射角となった部分で、外部に出射する。
【００２１】
次に、ＬＥＤ２６１を駆動する制御回路について説明する。この制御回路は、図８に示すように構成されている。
【００２２】
ＬＥＤ点灯キャリア周波数発生器３１１は、ＬＥＤ２６１を駆動するＰＷＭ（パルス幅変調）信号を生成するための、例えばＬＥＤ２６１のちらつきを防止し得る２００〜３００Ｈｚのキャリア三角波を発生するようになっている。より詳しくは、ＣＲ発振器が図９に示すような矩形波を発生し、これに基づいて、三角波発生器が、時定数に応じたコンデンサの充放電により図１０に示すようなキャリア三角波を発生する。このキャリア三角波はコンパレータ３１３およびコンパレータ３２０に入力されて、後述するように２種類のＰＷＭ信号を生成するために用いられる。
【００２３】
ＬＥＤ調光周期発生器３１２は、上記ＬＥＤ点灯キャリア周波数発生器３１１と同じような回路であるが、ＬＥＤ２６１を周期的に明滅させるための例えば発振周期５〜１０秒の調光周期三角波を発生するようになっている。すなわち、ＣＲ発振器が図１１に示すような矩形波を発生し、三角波発生器が図１２に示すような調光周期三角波を発生する。
【００２４】
そこで、コンパレータ３１３は、図１３に示すようにＬＥＤ点灯キャリア周波数発生器３１１から出力されるキャリア三角波のレベルが、ＬＥＤ調光周期発生器３１２から出力される調光周期三角波のレベルよりも高い場合に“Ｈ”（ハイ）レベルになるＰＷＭ信号を出力する。すなわち、パルス幅が０〜１００％の間で変化し、調光周期三角波のレベルが低いほどパルス幅が広くなる信号が出力される。
【００２５】
振動検出器３１４は、圧電センサ２３２によって所定以上の強さの振動や筐体のひずみが検出されるごとに“Ｈ”レベルになる信号を出力するようになっている。より詳しくは、圧電センサ２３２によって検出された信号は交流増幅回路によって増幅され、コンパレータによって所定の基準レベルと比較されて、上記基準レベルよりも高い場合に“Ｈ”レベルの信号が出力されるようになっている。そこで、振動等が非常に弱い場合には出力信号は“Ｌ”（ロー）レベルに維持され、振動等が強いほど幅の広いパルスが出力される。ここで、上記増幅器におけるオペレーショナルアンプの＋入力と電源および接地との間に設けられたダイオードは、過剰な検出電圧をバイパスしてオペレーショナルアンプを保護するものである。また、＋入力と接地との間に設けられた抵抗は入力インピーダンスを設定するためのものである。増幅回路の増幅率は、オペレーショナルアンプの−入力と接地との間、および−入力と出力との間に設けられた抵抗によって設定される。オペレーショナルアンプの−入力と出力との間に設けられたコンデンサは、早い立ち上がり電圧や微小浮遊電圧を緩慢な電圧変動にするためのミラー効果コンデンサである。
【００２６】
なお、振動検出器３１４は２組設けられている例を示すが、１組でもよいし、３組以上設けて、より多様な検出を可能にするなどしてもよい。
【００２７】
パルス発生器３１５は、上記振動検出器３１４によって振動や筐体のひずみが検出されない場合でも明かりが揺らいで見えるようにするための信号を出力するようになっている。この例では、３つのパルス発生器３１５が発生する互いに異なる周期やパルス幅のワンショットパルスを合成することにより、ランダムなパルス信号を出力するようになっている。具体的には、例えば各パルス発生器３１５のＣＲ発振器は、それぞれ１０秒、１３秒、または１７秒周期で発振するようになっている。モノステイブルマルチバイブレータは、ＣＲ発振器から出力されるパルスの立ち上がりでトリガーされて、コンデンサと抵抗との時定数で定まる幅のパルスを出力する。これらのパルス信号は、ＯＲ回路３１６により合成されることによって、ランダムなパルス信号が得られる。
【００２８】
なお、上記パルス信号は、厳密なランダム信号ではないが、ＬＥＤ２６１の明るさが揺らいで見えるようにするためには、同一パターンの繰り返し周期が十分長いなど、一見してランダムに見えるような擬似的にランダムなパルス信号でよい。なお、上記に限らず、より多くの周期等の信号を合成して一層ランダム性が高く見えるようにしてもよいし、これらのような信号や、周期信号、ランダムノイズなどに１／ｆフィルタを作用させるなどしてもよい。
【００２９】
上記複数の振動検出器３１４およびパルス発生器３１５から出力される信号は、ＯＲ回路３１６およびＯＲ回路３１７によって合成され、電荷充電回路３１８に入力される。電荷充電回路３１８は、ＯＲ回路３１７の出力が“Ｈ”レベルの間、その電荷充電回路３１８内のコンデンサを充電するようになっている。
【００３０】
積分回路３１９のコンデンサは、上記電荷充電回路３１８の出力レベルが高い場合には、上記電荷充電回路３１８のコンデンサに充電された電荷が再充電される一方、電荷充電回路３１８の出力レベルが低い場合には放電される。そこで、積分回路３１９からは、振動検出器３１４およびパルス発生器３１５から出力されるパルスの頻度に応じて、図１４に示すように離散したり連続したりする三角波が出力される。
【００３１】
コンパレータ３２０は、コンパレータ３１３と同様に、図１５に示すようにＬＥＤ点灯キャリア周波数発生器３１１から出力されるキャリア三角波のレベルが、積分回路３１９から出力される三角波のレベルよりも高い場合に“Ｈ”レベルになるＰＷＭ信号を出力する。
【００３２】
コンパレータ３１３およびコンパレータ３２０から出力されるＰＷＭ信号がそれぞれ“Ｈ”レベルになると、後述するように蓄電池２２２が十分に充電されていて、かつ、日没（周囲が暗くなったこと）が検出されていれば、照明制御回路３２１から“Ｈ”レベルの駆動信号が出力される。この駆動信号は電流増幅器３２２によって反転増幅され、電流制限用の抵抗３２３を介してＬＥＤ２６１のカソードに入力され、各ＬＥＤ２６１がパルス幅に応じた明るさで点灯する。また、本実施形態では、コンパレータ３１３またはコンパレータ３２０から出力されるＰＷＭ信号のパルス幅が狭い場合でも最低光量を確保するために、例えばＬＥＤ点灯キャリア周波数発生器３１１のＣＲ発振器の出力が“Ｈ”レベルである場合にも、これが電流増幅器３２４で反転増幅されて、逆流防止ダイオード３２６、および抵抗３２５を介してＬＥＤ２６１のカソードに入力され、バイパス電流によってＬＥＤ２６１が点灯するようになっている。なお、上記最低光量の程度は特に限定されず、特に確保しない場合も含めて種々に設定してよく、また、確保する方法も、最低光量の程度等に応じて種々の方法を適用すればよい。さらに、各ＬＥＤ２６１の配置位置等に応じて、それぞれ異なる最低光量を確保するなどしてもよい。
【００３３】
また、本実施形態の制御回路は、太陽電池パネル２３１によって蓄電池２２２を充電するとともに、周囲が暗くなったことを検出して上記のような発光を開始するようになっている。
【００３４】
電源回路３３１は、太陽電池パネル２３１および蓄電池２２２から供給される電力に基づいて、昼夜を問わず安定した回路駆動用電力を各部に供給するようになっている。
【００３５】
充電制御回路３３２は、充電回路３３２ａと、過充電検出回路３３２ｂと、日没検出回路３３２ｃとを備え、太陽電池パネル２３１が十分な電力を供給できるほど周囲が明るく、かつ、蓄電池２２２が過充電でない場合には、充電回路３３２ａの充電制御トランジスタがＯＮになって、太陽電池パネル２３１から逆流防止ダイオードを介して供給され電流制限抵抗により大きさが制限される電流で蓄電池２２２が充電されるようになっている。一方、過充電検出回路３３２ｂは、蓄電池２２２の充電が完了して発生電圧が所定以上になると、“Ｌ”レベルの信号を出力し、これがＡＮＤ回路を介して電流増幅器で反転増幅された信号によって充電回路３３２ａの充電制御トランジスタをＯＦＦにし、充電回路３３２ａによる充電を停止させるようになっている。
【００３６】
また、日没検出回路３３２ｃは、太陽電池パネル２３１の発生電圧が所定以下の場合、すなわち周囲が暗い場合に、“Ｌ”レベルの信号を出力し、やはり充電回路３３２ａによる充電を停止させるようになっている。なお、充電制御トランジスタがＯＦＦの場合でも、並列に接続された抵抗を介してわずかな充電電流が流れるようにして、蓄電池２２２の自己放電に対する補充伝が行われるようになっている。
【００３７】
日没検出回路３３２ｃは、また、電池終期電圧検出回路３３３と共にＬＥＤ２６１の発光の有無を制御するようになっている。すなわち、周囲が明るい場合には、日没検出回路３３２ｃからは“Ｈ”レベルの信号が出力され、インバータで反転されて照明制御回路３２１に入力される。一方、電池終期電圧検出回路３３３からは、蓄電池２２２の電圧が所定よりも低くなった場合に“Ｌ”レベルの信号が出力され、照明制御回路３２１に入力される。照明制御回路３２１では、上記のように周囲が明るい場合、および蓄電池２２２の電圧が低い場合には、コンパレータ３１３、コンパレータ３２０、およびＬＥＤ点灯キャリア周波数発生器３１１のＣＲ発振器から出力されるパルス信号がマスクされ、ＬＥＤ２６１の発光が抑制されるようになっている。
【００３８】
なお、上記過充電検出回路３３２ｂ、日没検出回路３３２ｃ、および電池終期電圧検出回路３３３の例では、オペレーショナルアンプの入力端子には、ノイズ低減用のコンデンサ、および過大入力抑制用のダイオードが設けられるとともに、ヒステリシスを持たせて出力が頻繁に反転するのを防止するための抵抗が設けられている。
【００３９】
上記のように、導光体２５２の外周部に三角断面突条２５２ｂが形成されるとともに、微細凹凸２５２ｃが形成され、空洞部２５２ａ内に複数のＬＥＤ２６１が斜めに設けられていることにより、ＬＥＤ２６１の光が導光体２５２の内部で反射されながら長手方向に導光されるとともに、三角断面突条２５２ｂおよび微細凹凸２５２ｃによって導光体２５２の周囲に散乱される。そこで、導光体２５２の内部で反射によって導光される性質と、エッジや傷などに光が集中しやすい性質とを組み合わせることによって、導光体２５２の全長に亘って、光を分散、拡散させながら、可視範囲を大幅に広くすることが容易にできる。また、適度な明るさのむらを生じさせることなどもできる。さらに、照明装置の大型化なども容易になる。
【００４０】
しかも、上記複数のＬＥＤ２６１のうちの一部が周期的に明滅する一方、他の一部がランダムに明滅し、これらの光が導光体２５２の内部で反射されながら合成、拡散されることによって、全体として、導光体２５２の長手方向や周方向で明るさが不規則な感じに変化し、自然なゆらぎ調光で幻想的に発光する印象を与えることなどができる。
【００４１】
なお、上記の実施形態では、例えば図３に示したように、それぞれのＬＥＤ２６１が光軸方向を同一平面内で交互に逆方向に傾けて設けられる例を示したが、これに限らず、例えば螺旋に沿うような方向に傾けるなど、３次元方向に傾けたり、放射方向（導光体２５２の長手方向に直角な方向）に向くものを混在させたりしてもよいし、互いに逆方向を向いたものを組にして設けるなどしてもよい。
【００４２】
また、ＬＥＤ２６１の傾きやピッチは、導光体２５２の全長に亘って均等に限らず、例えば端部付近ではピッチを狭くしたり導光体２５２の長手方向に対する角度を大きくしたりして端部付近の明るさを確保するようにしたり、逆に導光体２５２の中央部付近をより明るくするなどグラデーションを持たせるようにしたりしてもよい。
【００４３】
また、黄色のＬＥＤ２６１と、無色透明な導光体２５２、およびカバーパイプ２５３とが用いられる例を示したが、これに限らず、例えばオレンジ、白、赤等を組み合わせるなどして用いたり、導光体２５２等に着色したものを用い、または別途着色フィルム等を併用したりしてもよい。
【００４４】
また、和紙１０１ｂを用いた筐体１０１内に発光装置２０１が設けられる例を示したが、これに限らず、種々の材質や形態の筐体に設けるなどしてもよい。
【００４５】
また、圧電センサ２３２は太陽電池パネル２３１の裏面等に設けられる例を示したが、これに限らず、筐体１０１等に独立して設けてもよいし、さらに、例えば和紙１０１ｂに隣接させて設けるなどしてもよい。また圧電センサ２３２を複数設けて、種々のランダムな信号を検知し得るようにしてもよい。
【００４６】
また、太陽電池パネル２３１と蓄電池２２２が用いられる例を示したが、商用電源を用い得るようにしたりしてもよい。
【産業上の利用可能性】
【００４７】
本発明にかかる照明装置は、例えば蝋燭を模した明かりを演出するためなどに用いられる照明装置等として有用である。
【図面の簡単な説明】
【００４８】
【図１】本発明の実施形態の照明装置の外観を示す正面図である。
【図２】筐体１０１内に設けられる発光装置２０１の構成を示す縦断面図である。
【図３】発光装置２０１における発光部２５１の構成を示す縦断面図である。
【図４】発光部２５１における導光体２５２の構成を示す横断面図である。
【図５】導光体２５２の表面の性状を示す拡大断面図である。
【図６】導光体２５２内の放射方向の光の進み方の例を模式的に示す説明図である。
【図７】導光体２５２内の長手方向の光の進み方の例を模式的に示す説明図である。
【図８】制御回路の例を示す回路図である。
【図９】ＬＥＤ点灯キャリア周波数発生器３１１のＣＲ発振器の出力を示す波形図である。
【図１０】ＬＥＤ点灯キャリア周波数発生器３１１の三角波発生器の出力を示す波形図である。
【図１１】ＬＥＤ調光周期発生器３１２のＣＲ発振器の出力を示す波形図である。
【図１２】ＬＥＤ調光周期発生器３１２の三角波発生器の出力を示す波形図である。
【図１３】コンパレータ３１３から出力されるＰＷＭ信号を示す波形図である。
【図１４】ＯＲ回路３１７の出力を示す波形図である。
【図１５】コンパレータ３２０から出力されるＰＷＭ信号を示す波形図である。
【符号の説明】
【００４９】
１０１      筐体
１０１ａ    枠
１０１ｂ    和紙
２０１      発光装置
２１１      基部
２１２      ケーシング
２１２ａ    フランジ部
２１２ｂ    ボス部
２１３      底板
２１４      抑え板
２２１      回路基板
２２２      蓄電池
２３１      太陽電池パネル
２３２      圧電センサ
２３３      コード
２５１      発光部
２５２      導光体
２５２ａ    空洞部
２５２ｂ    三角断面突条
２５２ｃ    微細凹凸
２５３      カバーパイプ
２５４      保持部材
２５５      キャップ
２６１      ＬＥＤ
３１１      ＬＥＤ点灯キャリア周波数発生器
３１２      ＬＥＤ調光周期発生器
３１３      コンパレータ
３１４      振動検出器
３１５      パルス発生器
３１６      ＯＲ回路
３１７      ＯＲ回路
３１８      電荷充電回路
３１９      積分回路
３２０      コンパレータ
３２１      照明制御回路
３２２      電流増幅器
３２３      抵抗
３２４      電流増幅器
３２５      抵抗
３２６      逆流防止ダイオード
３３１      電源回路
３３２      充電制御回路
３３２ａ    充電回路
３３２ｂ    過充電検出回路
３３２ｃ    日没検出回路
３３３      電池終期電圧検出回路
【図１】
2010182540.tif 000003
【図２】
2010182540.tif 000004
【図３】
2010182540.tif 000005
【図４】
2010182540.tif 000006
【図５】
2010182540.tif 000007
【図６】
2010182540.tif 000008
【図７】
2010182540.tif 000009
【図８】
2010182540.tif 000010
【図９】
2010182540.tif 000011
【図１０】
2010182540.tif 000012
【図１１】
2010182540.tif 000013
【図１２】
2010182540.tif 000014
【図１３】
2010182540.tif 000015
【図１４】
2010182540.tif 000016
【図１５】
2010182540.tif 000017
【手続補正書】
【提出日】平成21年7月22日(2009.7.22)
【手続補正１】
【補正対象書類名】明細書
【補正対象項目名】０００７
【補正方法】変更
【補正の内容】
【０００７】
上記の課題を解決するため、本発明の例の照明装置は、
筐体と、該筐体内に設けられた発光装置とを有する照明装置であって、
上記発光装置は、
中心軸方向を直立させて設けられ、内周面内部が中心軸方向に延びる円形空洞部をなす円筒状の導光体と、
該導光体の空洞部に中心軸方向に沿って配置された指向性を有する複数の発光体と、
上記筐体の振動を検出する圧電センサと、
上記圧電センサの検出信号に応じたランダムな駆動信号で上記複数の発光体の一部を駆動するよう制御する制御回路と
を備え、
上記導光体の外周面には、中心軸方向に延びる断面三角形状の複数の突条が周方向全周に連なって形成されているとともに、該各突条の表面には微細な凹凸が形成されており、
上記複数の発光体は、該各発光体の光軸方向が上記空洞部の中心軸方向に対して傾いているとともに、該空洞部の中心軸方向に沿って該中心軸方向に対する光軸方向の傾きが互い違いに逆方向の傾きになるよう配列されている
ことを特徴とする。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
これにより、例えば、導光体の空洞部に中心軸方向に沿って配置された発光体から発せられた光は、導光体の界面で全反射しながら、全反射の条件を満たさない入射角となった部分で、外部に出射する。すなわち、発光体の光が導光体の内部で反射されながら長手方向に導光されるとともに、断面三角形状の突条および微細凹凸によって導光体の周囲に散乱される。そこで、導光体の内部で反射によって導光される性質と、エッジや傷などに光が集中しやすい性質とを組み合わせることによって、導光体の全長に亘って、光を分散、拡散させながら、可視範囲を大幅に広くすることが容易にできる。また、適度な明るさのむらを生じさせることなどもできる。さらに、照明装置の大型化なども容易になる。
そのうえ、上記のように光を分散、拡散させる作用効果は、上記導光体の空洞部の中心軸方向に対する上記複数の発光体の光軸方向の傾きが、該空洞部の中心軸方向に沿って互い違いに逆方向の傾きになるよう配列されていることによって、一層顕著に得ることができる。
【手続補正５】
【補正対象書類名】明細書
【補正対象項目名】００１１
【補正方法】変更
【補正の内容】
【００１１】
しかも、複数の発光体の一部が、圧電センサの検出信号に応じてランダムに明滅し、これらの光が導光体の内部で反射されながら合成、拡散されることによって、全体として、導光体の長手方向や周方向で明るさが不規則な感じに変化し、自然なゆらぎ調光で幻想的に発光する印象を与えることなどができる。
【手続補正６】
【補正対象書類名】特許請求の範囲
【補正対象項目名】全文
【補正方法】変更
【補正の内容】
【特許請求の範囲】
【請求項１】
筐体と、該筐体内に設けられた発光装置とを有する照明装置であって、
上記発光装置は、
中心軸方向を直立させて設けられ、内周面内部が中心軸方向に延びる円形空洞部をなす円筒状の導光体と、
該導光体の空洞部に中心軸方向に沿って配置された指向性を有する複数の発光体と、
上記筐体の振動を検出する圧電センサと、
上記圧電センサの検出信号に応じたランダムな駆動信号で上記複数の発光体の一部を駆動するよう制御する制御回路と
を備え、
上記導光体の外周面には、中心軸方向に延びる断面三角形状の複数の突条が周方向全周に連なって形成されているとともに、該各突条の表面には微細な凹凸が形成されており、
上記複数の発光体は、該各発光体の光軸方向が上記空洞部の中心軸方向に対して傾いているとともに、該空洞部の中心軸方向に沿って該中心軸方向に対する光軸方向の傾きが互い違いに逆方向の傾きになるよう配列されている
ことを特徴とする照明装置。
【請求項２】
請求項１の照明装置であって、
上記導光体の端部付近に設けられる発光体の中心軸方向に対する光軸方向の傾きが、上記導光体の中央部付近に設けられる発光体の中心軸方向に対する光軸方向の傾きよりも大きいことを特徴とする照明装置。
【請求項３】
請求項１の照明装置であって、
上記導光体の端部付近における発光体の配置ピッチが、上記導光体の中央部付近における発光体の配置ピッチよりも短いことを特徴とする照明装置。
【請求項４】
請求項１の照明装置であって、
上記制御回路は、上記複数の発光体の一部を、上記圧電センサによる検出信号に応じたランダムな駆動信号で駆動する一方、残りの発光体の一部を、周期的に変化する駆動信号で駆動するように制御することを特徴とする照明装置。
【請求項５】
請求項１の照明装置であって、
上記筐体は、枠体に薄紙が貼り付けられて構成されていることを特徴とする照明装置。
【請求項６】
請求項１の照明装置であって、
さらに、上記筐体の上部に取り付けられた太陽電池パネルを備え、
上記制御回路は、上記太陽電池パネルにより検出された周囲の明るさが所定以下になったときに、上記発光体を発光させるように制御することを特徴とする照明装置。